Podtech/llm-jp-corpus-v4-ja_patent huggingface dataset:
(57)【要約】      （修正有）【課題】看板のフレーム及び外装などを、腐食させにくく、そして、豪華に見せる為の看板のディスプレイケースを提供する。【解決手段】看板のむき出しになってる金属部分を塩ビ系の材料で囲む事によって、金属の腐食、劣化などを防ぎ、塩ビの材料はデザインが豊富な為、お店に合った看板が製作出来ることにより、この課題を解決する。【選択図】図１
0003124749.tif 000002
【実用新案登録請求の範囲】
【請求項１】
看板に必要な外装、枠、縁などを、インテリア業界で使用する、塩ビタイルを使用し豪華に見せる為のディスプレイケース。
【請求項２】
上記の看板の角や継ぎ目を補強する為のプラスティック板に塩ビシートを使用する。
【請求項３】
ディスプレイケースの骨組み（フレーム）に、硬質ゴムを利用する。
【考案の詳細な説明】
【技術分野】
【０００１】本考案は看板に使用するディスプレイケースに関する。
【背景技術】
【０００２】従来の看板の枠や外装は金属のままや、ペンキ塗装をしていた。
【考案の開示】
【考案が解決しようとする課題】
【０００３】しかし、これではペンキ塗装では、時が経つと塗装が剥がれてしまうし、金属では、金属が外部に出ていたら、錆びるし、単色のみで、個性が出ないところが、不便である。
【課題を解決するための手段】
【０００４】そこで、看板の外装、縁、枠をインテリア業界の塩ビタイルと塩ビシートと硬質ゴムを使用する事を考案した（図１）。この考案により、金属を使用しない事によって、金属の錆び、塗装の剥がれを防げるのである。
【考案の効果】
【０００５】よって、錆びや、塗装の剥がれも出る事もないし、耐久に優れた看板が、出来るし、デザインが豊富な為、お店に合った個性的な看板が製作出来るようになります。また飽きることがあった場合、従来の看板より、安易に外装を変える事が出来ます。
【考案を実施する為の最良の形態】
【０００６】本考案に係るディスプレイケースは、図１に示すように、塩ビタイルで骨組みを全て包み、角や、継ぎ目部分には、防水する為にシリコンや塩ビシートを使用する。ディスプレイケースの形、及びデザインは、店舗に適した個人の納得の出来る看板が最良の形態である。
【図面の簡単な説明】
【０００７】
【図１】本考案に係る看板用ディスプレイケースの、仕上がった形の図である。
【図２】本考案に係る看板用ディスプレイケースの断面図である。
【図３】図１のカラーで描いた看板用ディスプレイケースの仕上がった図である。
【図４】図２のカラーで描いた看板用ディスプレイケースの断面図である。
【図５】従来の看板の立体図である。
【符号の説明】
【０００８】１    塩ビタイル
２    プラスティックに貼った塩ビシートの保護板
３    硬質ゴム
４    アクリル板（看板の主要部）
２０  ディスプレイケース
５    ペンキ塗装
６    金属部分（アルミ、鉄）
【図１】
0003124749.tif 000003
【図２】
0003124749.tif 000004
【図３】
0003124749.tif 000005
【図４】
0003124749.tif 000006
【図５】
0003124749.tif 000007
【手続補正書】
【提出日】平成18年6月22日(2006.6.22)
【手続補正１】
【補正対象書類名】実用新案登録請求の範囲
【補正対象項目名】全文
【補正方法】変更
【補正の内容】
【実用新案登録請求の範囲】
【請求項１】
看板に必要な外装、枠、縁などを、塩ビタイルを使用して豪華に見せる為のディスプレイケース。
【請求項２】
上記の看板の角や継ぎ目を補強するためのプラスティック板に塩ビシートを使用する
ことを特徴とする請求項１に記載のディスプレイケース。
【請求項３】
上記ディスプレイケースの骨組み（フレーム）に、硬質ゴムを利用する
ことを特徴とする請求項１または請求項２に記載のディスプレイケース。
(57)【要約】      （修正有）【課題】水切り食器入れの収納の不便さと食器類の乾きが悪いという不都合の解消。【解決手段】仕切り板３と箸等収納部５を備えた食器収納容器１と、排水口と排水パイプ８と脚９と滑り止め１０を備えた食器収納容器受け７。【選択図】図２
0003124767.tif 000002
【実用新案登録請求の範囲】
【請求項１】
容器の底に排水用の穴を開け、容器内の収納をし易くする為の仕切り板を設け、台所の収納スペースを多くする為に、容器の底に足の付いた食器収納器具。
【考案の詳細な説明】
【技術分野】
【０００１】  本考案は、台所等で洗った食器類を収納する器具に関する。
【技術分野】
【０００２】  従来、洗った食器は水切り容器に入れていた。洗った食器が多い時は山盛りとなっていた。また、容器の底に排水がない為、底に水が溜まってしまっていた。
【考案の開示】
【考案が解決しようとしている課題】
【０００３】  しかし、これでは、容器の底に溜まった水の湿気と、重なり合った容器が容器に付いた水分の水はけ、乾きを阻害して、乾くのに時間がかかってしまう。
また、容器の乾きが遅いために、食器を容器の中に置いておく時間が長くなり、必要な食器をその容器から直接取り出す事が多くなるが、山盛りに積まれていると、必要な食器を取り出す事が困難になり、食器の山崩れ等で食器を破損させる恐れがある。
また、食器類を容器の中に置いておく時間が長くなると、次の食事の準備で料理が始まり、その料理中の油汚れや洗い物の洗剤が食器に付いたり、ゴキブリの侵入の機会も増え、衛生的に悪くなる。
また、容器は台所で必要なものだが、スペースを使い、台所が手狭になる。
【課題を解決するための手段】
【０００４】  そこで、洗った食器を入れる容器の底に排水用の穴を開け、容器内の収納をし易くする為の仕切り板を設け、台所の収納スペースを多くする為に容器に底に足の付いた食器収納器具を考案した（図１、図２、図３）。
【考案の効果】
【０００５】  よって、本考案の食器収納器具により、水が容器に溜まらない為、洗った食器の乾きが早くなり、容器をふきんで拭いて別の食器棚にしまう手間が無くなり、仕切りにより山積みになりづらい為、容器にある食器類の取り出しが容易となる。
また、容器が高い位置にある為、洗剤や料理の汚れが入りづらくなって汚れにくくなり、ゴキブリの侵入を防止でき、衛生的になる。
そして、この容器収納器具の下側にスペースが増え、台所が手広くなる。
【考案を実施する最良の形態】
【０００６】  本考案に係わる水切り食器収納器具２０は、図１の平面図に示すように仕切り板３、箸等収納部５、排水口２を備えた食器収納容器１と、図２、図３の断面図に示すように食器収納容器受け７、排水パイプ８、脚９、滑り止め１０を備えている。
仕切り板３は皿や茶碗等の食器を立てた状態で入れられるぐらいの間隔を持っており、食器収納容器１には仕切り板３を固定する溝があり、その溝に沿って仕切り板３を出し入れできるようになっている。そして、この食器収納容器底部４は水切りの為に網状になっている。
また、食器収納容器１には箸等の細長いものが収納しやすいように細かく隔てられた仕切りを持った箸等収納部５があり、この箸等収納部底部６は箸やスプーンが底に落ち込まない程度の細かい網状になっている。
食器収納容器受け７は食器収納容器１の縁を受けられる大きなであり、底には１箇所だけ排水口２が有り、その排水口２に向かって下りの傾斜が付いている。そして、その排水口２に柔軟性のある排水パイプ８がつながっており、その排水パイプ８は近くの流し台に届く程度の長さを持っている。これにより、食器収納容器１の網状の底から落ちてきた水分を食器収納容器受け７で受け、排水口２を通って水分を排水パイプ８で流し台等に排水する。
食器収納容器受け７には４本の脚９が付いており、その底には滑り止め１０が付いている。この脚の長さは食器収納容器受け７の底側に有る程度の収納スペースを作るものであるが、食器収納容器１に入れた食器類が容易に出し入れ出来る高さにする。
また、図３に示すように、食器収納器具２０の食器等収納部は手前側が低く、奥側が高い形状をしており、手前側に箸や短いスプーンや小さい食器などの食器を置き、奥側には、長箸やオタマや大きい食器を置き、手前側から食器類を出し入れしやすく、食器が落ちにくい高さにする。
【図面の簡単な説明】
【０００７】
【図１】  本考案に係わる水切り食器収納器具の平面図である。
【図２】  本考案に係わる水切り食器収納器具の図１を下側から見た断面図である。
【図３】  本考案に係わる水切り食器収納器具の図１を右側から見た断面図である。
【０００８】１        食器収納容器
２        排水口
３        仕切り板
４        食器収納容器底部
５        箸等収納部
６        箸等収納部底部
７        食器収納容器受け
８        排水パイプ
９        脚
１０      滑り止め
２０      水切り食器収納器具
【図１】
0003124767.tif 000003
【図２】
0003124767.tif 000004
【図３】
0003124767.tif 000005
(57)【要約】      （修正有）【課題】この発明は、食器棚、本棚等の棚板に敷いて食器、本などが棚から飛び出すのを防ぐための棚板角度補正パネルに関するものである。【解決手段】前縁から後縁にむかって、奥が低くなるように傾斜をつけた棚板の角度補正パネルを食器棚、本棚等の家具の棚に敷設する。地震の揺れに伴って食器、本などの収容物が奥の方にずれ込むので棚から飛び出さない。【選択図】図１
0003124768.tif 000002
【実用新案登録請求の範囲】
【請求項１】
前縁から後縁にむかって、奥が低くなるように傾斜をつけた棚板の角度補正パネル。
【考案の詳細な説明】
【考案の開示】
【考案の技術分野】
【０００１】  この考案は、食器棚、本棚など棚板のある家具に敷設して地震発生時の振動によって食器や本など、収容物が棚から飛び出すのを防ぐための考案に関するものである。
【背景技術】
【０００２】  従来の食器棚や本棚の棚板は前縁、後縁とも同じ厚さに作製され、設置される角度が水平であったため、地震発生時の揺れに伴って食器、本等の収容物が滑りだし、空いている棚の前縁から飛び出すことが災害時の被害の実情や、実験等によっても証明されている。
これを防ぐために食器棚、本棚などの底部に楔状の物を差し込んで傾きを作る等の対策が考えられてきたが重い家具を持ち上げる作業が必要であるなど困難を伴うものであった。
【考案が解決しようとする課題】
【０００３】  この考案は、個々の棚の幅に合わせて切断出来る素材で角度補正パネルを作成し個々の棚ごとに敷設又は挿入するだけで効果が期待でき、家庭での食器棚、本棚等の地震対策が簡単にできる考案である。
【課題を解決するための手段】
【０００４】  前縁から後縁にかけて奥が低いゆるい傾斜の付いた棚になるよう角度補正パネルを個々の棚の幅にあわせ切断出来る素材で作成し棚に敷設又は挿入するする。
【考案を実施するための最良の形態】
【０００５】  家具の棚に奥が低く成る傾きをつける角度補正パネルを敷設すれば地震の揺れに伴って食器、本などの収容物が奥の方にずれ込んで、食器棚や本棚の外に飛び出すのを防ぐことが出来る。
【考案の効果】
【０００６】  地震発生の際、食器棚や本棚等の家具の収容物が家具から飛び出して破損したり家具の扉を破ったりする被害を防ぐことが出来るものである。
【図面の簡単な説明】
【０００７】
【図１】  本考案の棚板補正パネルの部分斜視図（適宜の幅に切断可能にするため幅は不確定）。
【図２】  考案した棚板角度補正パネルの断面図である。
【図１】
0003124768.tif 000003
【図２】
0003124768.tif 000004
(57)【要約】【課題】    ロボットで薄肉、長尺のワ−クをプレス機等に位置決めする時の干渉や、プレス機等で作業時にワ−クの上下振動でユガミ、タワミが発生することを解消する。【解決手段】  ワ−ク保持部全体をエアシリンダ可動部２ｂに取付てプレス機等のワ−ク位置決めする時にエア圧により位置固定の無理を吸収し、さらにプレス機等で作業時の上下振動を、ワ−ク保持部３をスライドシャフト上で移動させ、エアシリンダ５のエア圧で吸収する。【選択図】図１
0003124764.tif 000002
【実用新案登録請求の範囲】
【請求項１】
ロボットア−ムのワ−ク保持部に、ワ−クの位置決め時の干渉や、作業時の振動で発生するワ−クの変形を防ぐためにエアシリンダを採用した保持装置。
【考案の詳細な説明】
【技術分野】
【０００１】  本考案は、作業ロボットのワ−ク保持機に関する。
【技術背景】
【０００２】  従来は、自動車用ドアサッシ、モ−ル等の薄肉で長尺部品の切断や端面処理等は作業用ロボットではユガミ、タワミ等の変形発生率が高く手作業に頼る場合が多い。
【考案の開示】
【考案が解決しようとする課題】
【０００３】  ワ−クをエア−シリンダ等で保持後切断や端面処理のためプレス機等に位置決め時、ワ−クと位置決め部材が干渉することや、プレス機等の作業工程でワ−クの上下等の振動で、ユガミ、タワミ等の変形が発生する。
【考案が解決するための手段】
【０００４】  この課題を解決するため本考案は、スライド型エアシリンダやスライド機構を併用したエアシリンダを使用して作業工程で薄肉、長尺のワ−クが振動する時の変形を防ぐ。
【考案の効果】
【０００５】  よって、本考案の変形防止ワ−ク保持機により、ロボットア−ムの位置決めが簡単になり、プレス機等の作業工程でワ−クが振動をしてもユガミ、タワミ等の変形を防止できる。
【考案を実施するための最良の形態】
【０００６】  本考案に係る変形防止ワ−ク保持機は、図１に示すように、スライド機構付のエアシリンダ固定部２ａをロボットア−ム１に取付、エアシリンダ可動部２ｂをエア圧により調整しワ−クの微妙な位置固定の無理を吸収する。さらにワ−ク保持部３をエアシリンダ５のエア圧により円滑に振動を吸収する。
【図面の簡単な説明】
【０００７】
【図１】  本考案に係る変形防止ワ−ク保持機の正面図である。
【０００８】
【図２】  本考案に係る変形防止ワ−ク保持機の側面図である。
【符号の説明】
【０００９】１    ロボットア−ム先端
２ａ  スライド機構付エアシリンダ固定部
２ｂ  スライド機構付エアシリンダ可動部
３    ワ−ク保持部
４    エアシリンダ
５    エアシリンダ
６    ワ−ク保持可動部
７    ワ−ク保持固定部
８    ワ−ク
９    スライドシャフト
【図１】
0003124764.tif 000003
【図２】
0003124764.tif 000004
(57)【要約】【課題】  貯金箱として使用できると共に、万年カレンダー、占い等、楽しく使用できる回転筒状容器を提案する。【解決手段】  蓋体の内径と本体の外径とが密適合する回転可能な筒状容器において、蓋体の上面にコインを入れるコイン孔を設けると共に、側面に窓部を設け、本体の外周面に万年カレンダーを表示してなることを特徴とする回転筒状容器。【選択図】図１
0003124761.tif 000002
【実用新案登録請求の範囲】
【請求項１】
蓋体の内径と本体の外径とが密適合する回転可能な筒状容器において、蓋体の上面にコインを入れるコイン孔を設けると共に、側面に窓部を設け、本体の外周面に万年カレンダーを表示してなることを特徴とする回転筒状容器。
【請求項２】
蓋体の内径と本体の外径とが密適合する回転可能な筒状容器において、蓋体の上面にコインを入れるコイン孔を設けると共に、側面に窓部を設け、本体の外周面に占いを表示してなることを特徴とする回転筒状容器。
【考案の詳細な説明】
【技術分野】
【０００１】  本考案は、貯金箱や万年カレンダー、占い等、使用後に楽しく使用できる回転筒状容器に関するものである。
【背景技術】
【０００２】  従来の技術として、蓋体の内径と本体の外径とが密適合する筒状体の容器において、本体の外面に、全周、あるいはほぼ全周にわたって、絵・写真を施すと共に、蓋体には、該絵・写真を見るための表示窓を設けたことを特徴とする包装用容器がある。（特許文献１参照）
【特許文献１】  実願２００１−３８７７号公報
【考案の開示】
【考案が解決しようとする課題】
【０００３】  上記考案は、本出願人が出願した考案である。
その効果は、外囲に描出した風景等を窓内に見ることができ、包装用容器を再利用できるものである。【０００４】  しかしながら、貯金箱や万年カレンダー、占い等には使用できない。
よって、本考案は上記の従来の構成していた問題を解決しようとするものであり、貯金箱として使用できると共に、万年カレンダー、占い等、楽しく使用できる回転筒状容器を提案することを目的とする。
【課題を解決するための手段】
【０００５】  本考案は、上記目的を達成するため、蓋体の内径と本体の外径とが密適合する回転可能な筒状容器において、蓋体の上面にコインを入れるコイン孔を設けると共に、側面に窓部を設け、本体の外周面に万年カレンダーを表示してなる。
また、蓋体の内径と本体の外径とが密適合する回転可能な筒状容器において、蓋体の上面にコインを入れるコイン孔を設けると共に、側面に窓部を設け、本体の外周面に占いを表示してなることを特徴とする。
【考案の効果】
【０００６】１）、蓋体の上面にコイン孔を設けることにより、貯金箱として使用することができる。
２）、本体の外周に万年カレンダーを設け、蓋体の窓部を回転することにより、毎月のカレンダーとして使用できる。
３）、本体の外周に占いを表示することにより、今日の運勢やゲームとして使用できる。
【考案の実施するための最良の形態】
【０００７】  １は、回転筒状容器である。
２は、蓋体で、上面中央にコイン孔２ａを設けると共に、側面に切り目を形成してなる窓部２ｂを設けてなる。
なお、窓部２ｂの上部に曜日２ｃを表示してある。
３は、本体で、上記蓋体２の内径に外径が密適合するもので、回転可能に設けてあり、外周面に万年カレンダー３ａを表示してなる。
【０００８】  つぎに、回転筒状容器１の使用例について説明する。
通常、回転筒状容器１内にはお菓子や調味料等の食材Ｓが入っており、取り出した後に使用するもので、コイン孔２ａからコインＫを入れ、貯金箱として使用できると共に、蓋体２を回転させ窓部２ｂより毎月のカレンダー（万年カレンダー３ａ）をセットして使用できる。
【０００９】  つづいて、他の回転筒状容器について説明する。
回転筒状容器２１は、蓋２２の側面に３つの窓部２２ｂを設け、今日の食事・今日のカラー・ルーレット等の文字を表示してある。
また、本体２３の外周面に上記各窓部２２ｂに対応する食事ＳＧ・カラーＫＲ・ルーレットＮＯを表示してある。
【００１０】  回転筒状容器２１の使用例について、例えば昼食に何を食べるか迷ったときに蓋２２を回転させ、窓部２３から出た食事ＳＧ（カレー）を食べることとする。
また、今日どのような色の服を着るか迷ったとき、同じように回転させカラーＫＲ（白）とする。
さらに、２人で勝ち負けを決めるとき、１人が同じように回転させルーレットＮＯ（１１）を相手に見せ、別の１人が回転させ数字の大小で決める。
【００１１】  上記各実施例において、各部材の材質は特に限定するものではない。
また、占いの内容についても必要に応じて決めればよい。
【図面の簡単な説明】
【００１２】
【図１】  本考案の第１実施例を示す回転筒状容器の正面図。
【図２】  本考案の第１実施例を示す回転筒状容器の平面図。
【図３】  本考案の第１実施例を示す回転筒状容器の本体の正面図。
【図４】  本考案の第１実施例を示す回転筒状容器の使用状態の正面図。
【図５】  本考案の第２実施例を示す回転筒状容器の正面図。
【図６】  本考案の第２実施例を示す回転筒状容器の本体の正面図。
【図７】  本考案の第２実施例を示す回転筒状容器の使用状態の正面図。
【符号の説明】
【００１３】  １―――回転筒状容器
２―――蓋体
２ａ――コイン孔
２ｂ――窓部
２ｃ――曜日
３―――本体
３ａ――万年カレンダー
Ｓ―――食材
Ｋ―――コイン
ＳＧ――食事
ＫＲ――カラー
ＮＯ――ルーレット
【図１】
0003124761.tif 000003
【図２】
0003124761.tif 000004
【図３】
0003124761.tif 000005
【図４】
0003124761.tif 000006
【図５】
0003124761.tif 000007
【図６】
0003124761.tif 000008
【図７】
0003124761.tif 000009
(57)【要約】      （修正有）【課題】類似ワークに変更する場合製作にコストを掛けずに簡単にでき、異種ワークの混入やタップなし部品の発生を防ぐ。【解決手段】  スライドシャフト２上にスライドガイド８を介してすべて装置を配置し、センサ−６ａ、６ｂとスライド機構を採用することにより順送型プレス機と簡単に連動できる自動タップ装置をプレス機後方に設置することと、タップユニットの架台を変更することで簡単に類似ワ−クに対応する。【選択図】図１
0003124765.tif 000002
【実用新案登録請求の範囲】
【請求項１】
順送型プレス機後方に設置し、スライド機構の採用でプレス機と同調させることなく連動する自動タップ装置。
【請求項２】
タップユニットの架台変更で類似ワ−クに対応できる自動タップ装置。
【考案の詳細な説明】
【技術分野】
【０００１】  本考案は、順送型プレス機に追加で使用する自動タップ装置に関する。
【技術背景】
【０００２】  従来は、プレス金型と一体で各ワ−ク毎にタップ装置を製作するか、後加工でタップ加工をおこなっていた。
【考案の開示】
【考案が解決しようとする課題】
【０００３】  従来のプレス金型と一体機構では類似ワ−クでもワ−クを変更すればプレス金型と同時にタップ機構も各専用の製作が必要でありコスト高となる。プレス金型で製作後の後加工では異種の混入やタップ未加工の発生がある。
【考案が解決するための手段】
【０００４】  この課題を解決するための請求項１の考案は、スライド機構を採用することにより順送型プレス機と簡単に連動できる自動タップ装置。
【０００５】  また、請求項２の考案は、タップユニットの架台を変更することで簡単に類似ワ−クに対応できる。
【考案の効果】
【０００６】  よって、本考案の自動タップ装置により、類似ワ−クに変更する場合製作にコストを掛けずに簡単にでき、異種ワ−クの混入やタップなし部品の発生を防ぐことができる。
【考案を実施するための最良の形態】
【０００７】  本考案に係る自動タップ装置は、図１に示すように、スライドシャフト２上にスライドガイド８を介してすべての装置が配置され、左方向の順送型プレス機から送り出されるワ−ク１がピッチ送りユニット７に保持さる。プレス機と本考案機の困難なサイクルの同調は必要とせず、２個のセンサ−６ａと６ｂ間をスライドし、センサ−６ａに到達時はタップユニット３を一時停止し、センサ−６ｂに到達時はプレス機を一時停止し、プレス機と自動タップ装置の同調を取ることなく円滑に連続運転を行うことができる。タップ加工後、カッタ−ユニット４で各部品を切断し収納する
【図面の簡単な説明】
【０００８】
【図１】  本考案に係る自動タップ装置の正面図である。
【０００９】
【図２】  本考案に係る自動タップ装置の側面図である。
【符号の説明】
【００１０】１    ワ−ク
２    スライドシャフト
３    タップユニット
４    カッタ−ユニット
５    タップ
６ａ  センサ−
６ｂ  センサ−
７    ピッチ送りユニット
８    スライドガイド
【図１】
0003124765.tif 000003
【図２】
0003124765.tif 000004
(57)【要約】      （修正有）【課題】スポンジの周囲より水を吹き出させることにより、外周から全体に水が回り込むことができる。また、先に水が汚れに当たり、その後スポンジにて汚れを落とすことができ、車のボディー等を傷めることなく使用できる。  さらに、スカート部により周囲に水を散らせることなく、かつ水を保持することができ、効率よく汚れを落とすことのできる洗車ブラシを提供する。【解決手段】水を注入する注入口を設けてなる柄と、柄の先端に設けてなる本体の中央下面にスポンジを設け、外周にスカート部を設けると共に、スポンジ部の外周とスカート部の内周との間から水を放出すべく吹出口を複数箇所設けてなる洗車体とから構成されることを特徴とする洗車ブラシ。【選択図】図１
0003124762.tif 000002
【実用新案登録請求の範囲】
【請求項１】
水を注入する注入口を設けてなる柄と、柄の先端に設けてなる本体の中央下面にスポンジを設け、外周にスカート部を設けると共に、スポンジ部の外周とスカート部の内周との間から水を放出すべく吹出口を複数箇所設けてなる洗車体とから構成されることを特徴とする洗車ブラシ。
【請求項２】
本体を平面三角形状に形成してなることを特徴とする請求項１記載の洗車ブラシ。
【請求項３】
柄の先端部に自在に曲がる折曲部を設けてなることを特徴とする請求項１又は２記載の洗車ブラシ。
【請求項４】
柄の適所に水量を調整するためのコックを設けてなることを特徴とする請求項１、２又は３記載の洗車ブラシ。
【考案の詳細な説明】
【技術分野】
【０００１】  本考案は、洗車時に使用する洗車ブラシの改良に関するものである。
【背景技術】
【０００２】  従来の技術として、洗浄水導入孔を有する取手部と、この取手部の先端から二股に分岐した環状部材とを一体に設け、さらに、この環状部材の下面に環状に刷毛材を取り付けて、洗浄水導入孔から洗浄水を噴出する洗車ブラシであって、前記環状に取り付けた刷毛材の内面に洗浄水が指向するように、前期取手部の先端に洗浄水吐出口を穿設したことを特徴とする洗車ブラシがある。（特許文献１参照）【０００３】  また、別の従来技術として、洗車スポンジの出水口に、スポンジの先端部分あるいは洗浄面に出水できる出水パイプとの組み合わせから成る洗車スポンジがある。
【特許文献１】  特開平１１−１５１１２０号
【特許文献２】  実用新案登録第３０２８６０８号
【考案の開示】
【考案が解決しようとする課題】
【０００４】  上記前者及び後者共にブラシ全体に水を吹きかけるのは難しいのが現状である。
また、洗車する場合、汚れ面に先に水が当たり、その後ブラシ（スポンジ）等で汚れを落とすのが理想であるが、従来技術では、水とブラシ（スポンジ）が同時に汚れを取るように設計されており、予め水にて汚れを落とし易くすることができない。
さらに、スカート部を設けていないため、周囲に水が飛び散り、作業性を悪くしている。【０００５】  本考案は、従来の構成が有していた問題を解決しようとするものであり、スポンジの周囲より水を吹き出させることにより、外周から全体に水が回り込むことができる。
また、先に水が汚れに当たり、その後スポンジにて汚れを落とすことができ、車のボディー等を傷めることなく使用できる。
さらに、スカート部により周囲に水を散らせることなく、かつ水を保持することができ、効率よく汚れを落とすことのできる洗車ブラシを提供することを目的とする。
【課題を解決するための手段】
【０００６】  本考案は、上記目的を達成するため、水を注入する注入口を設けてなる柄と、柄の先端に設けてなる本体の中央下面にスポンジを設け、外周にスカート部を設けると共に、スポンジ部の外周とスカート部の内周との間から水を放出すべく吹出口を複数箇所設けてなる洗車体とから構成される。
また、本体を平面三角形状に形成してなる。
さらに、柄の先端部に自在に曲がる折曲部を設けてなる。
そして、柄の適所に水量を調整するためのコックを設けてなることを特徴とする。
【考案の効果】
【０００７】１）、スポンジの周囲より水を吹き出させることにより、外周から中心部へと全体に水が回り込み洗浄ムラがない。
２）、先に水が汚れた部分に当たり、その後スポンジにて汚れを落とすことができ、特に車のボディー等を傷めることがない。
３）、スカート部により、周囲に水を散らせることなく使用でき、かつ水をスカート部とスポンジの間に保持することができ、効率よく汚れを落とすことができると共に、経済的である。
４）、本体を平面三角形にすることにより、狭い場所に入り込み、確実に汚れを流すことができる。
５）、折曲部により、洗車する部位の形状に合わせて洗車できる。
６）、コックにより、必要に応じて水量を調整でき、経済的である。
【考案の実施するための最良の形態】
【０００８】  １は、洗車ブラシである。
２は、水を注入する注入口２ａを設けてなる中空状の柄で、先端部に自在に曲がるジャバラ状の折曲部２ｂを設けてある。
なお、必要に応じて水量を調整するコック２ｃを設けてもよい。
３は、上記柄２の先端に設けてなる中空状の本体３ａの中央下面に略三角形状のスポンジ３ｂを設け、本体３ａ外周にゴム製等によるスカート部３ｃを設けると共に、スポンジ部３ｂの外周とスカート部３ｃとの間から水を放出すべく、本体３ａに吹出口３ａ１…を複数個（この実施例の場合、６箇所）設けてなり、平面三角形状に形成してなる洗車体である。
【０００９】  上記洗車ブラシ１の使用例について、下記に述べる。
まず、洗車ブラシ１の柄２の注入口２ａにホースＨを差し込んだ後、水Ｍを流入させることにより、水Ｍ１は本体３ａの吹出口３ａ１より放出される。（この時、必要に応じてコック２ｂにて水量を調整する。）
この状態で、例えば車のボディーＢの汚れを除去するもので、外周から放出される水Ｍ１…がスポンジ部３ｂ全体に入り込み、洗車ブラシ１を前後させることにより汚れを除去することができると共に、スカート部３ｃとスポンジ部３ｂとの間に一時的に保持することにより、汚れを一層効率よく除去することができるものである。
また、折曲部２ｂにより洗車する部位（ドアミラーやバンパー等）の形状に合わせて洗車できる。
【００１０】  上記実施例において、各部品の大きさや材質等は特に限定するものではない。また、スポンジ部３ｂの下面はスカート部３ｃ下面とほぼ同一か、あるいは少し突出するのが望ましい。
【図面の簡単な説明】
【００１１】
【図１】  本考案の一実施例を示す洗車ブラシの平面図。
【図２】  本考案の一実施例を示す洗車ブラシの底面図。
【図３】  本考案の一実施例を示す洗車ブラシの一部縦断正面図。
【図４】  本考案の一実施例を示す洗車ブラシの使用状態を示す一部縦断正面図。
【符号の説明】
【００１２】  １−−−洗車ブラシ
２−−−柄
２ａ−−注入口
２ｂ−−折曲部
２ｃ−−コック
３−−−洗車体
３ａ−−本体
３ａ１−吹出口
３ｂ−−スポンジ部
３ｃ−−スカート部
Ｈ−−−ホース
Ｍ−−−水
Ｂ−−−ボディー
【図１】
0003124762.tif 000003
【図２】
0003124762.tif 000004
【図３】
0003124762.tif 000005
【図４】
0003124762.tif 000006
(57)【要約】【目的】ゴムタイヤ走行用設置カバーにより仕事の能率化を計り人件費の削減を計る。【構造】布、革，化学繊維等を用いて加工した袋状及び帯状のカバー【選択図】図１
0003124763.tif 000002
【実用新案登録請求の範囲】
【請求項１】
布、革、化学繊維など用いて袋状及び帯状に加工した走行用設置カバー
【考案の詳細な説明】
【考案の詳細な説明】
【０００１】公園，墓地、歩道等に多く使用されているインターロッキングコンクリート平板など表面が白色状の舗装上を走行する場合にゴムタイヤが黒いゴムで加工されている為、黒いゴム跡が付着する、これを防ぐ為にゴムタイヤに設置カバーをする、従来は走行時にインターロッキング、コンクリート平板の上にマット，シートなどで表面を被いその上を走行していた為非常に手間が係り人件費の負担が大きかった、大幅な人件費の削減になる。
【産業上の利用分野】
【０００２】この考案は上記の工事に伴う人件費の削減、工事の能率向上に大きなメリットがある。
【背景技術】
【０００３】従来はインターロッキング、コンクリート平板等の上に、マットシートなどを敷き走行していた。
【考案が解決する課題】
【０００４】人の手間が省け人件費の削減になる。
【課題を解決するための手段】
【０００５】ゴムタイヤに走行用設置カバーを使用。
【作用】
【０００６】走行時に使用
【実施例】
【０００７】図面のように走行時に設置する。
【考案の効果】
【０００８】走行時に設置カバーがあれば、簡単に走行出来、人件費の大幅な削減につながる。
【図面の簡単な説明】
【０００９】
【図１】本考案の平面図  小型四輪台車タイヤ設置カバーの全体像
【図２】本考案の施工図  ゴムタイヤ設置カバー設置
【図３】付属金具、備品  設置カバーがはずれない様に止め金具、丸ゴム
【符号の説明】
【００１０】１、走行用設置カバー
２、インターロッキング、コンクリート平板上走行
３、止め金具、丸ゴム
【図１】
0003124763.tif 000003
【図２】
0003124763.tif 000004
【図３】
0003124763.tif 000005
(57)【要約】      （修正有）【課題】折たたみ携帯傘、キャスター及び荷物入袋を組み合せ、荷物を運べるようにした折たたみ携帯傘、荷物袋付キャスターバーの提供。【解決手段】携帯傘の主柱摺動具１の一端にキャスター５、キャスター留５’を設置し、主柱摺動具３の一端に握手７を設け、荷物入袋４の中心に主柱摺動具１．２．３を主柱として挿入し、荷物入袋４に荷物入袋下部結束具９と荷物入袋上部結束具紐８、荷物入吊具１０、荷物入袋吊留穴具１１によって構成されたる、折たたみ携帯袋付きキャスターバーの構造。【選択図】図３
0003124740.tif 000002
【実用新案登録請求の範囲】
【請求項１】
本案は折たたみ携帯傘、袋付きキャスターバーにて、１、２、３、は主柱摺動具、２’３’は伸縮用留具、４は荷物入袋、４’はファスナー、５はキャスター、５’はキャスター留具６はキャスタージョイント部、７は握手、８は閉傘時の結束紐、９は荷物入袋下部結束具、１０荷物袋釣具、１１は荷物入袋吊穴具、１２は内骨、１３は外骨、１４は傘布、１５は携帯傘の折畳んだ状態で、１２の内骨、１３の外骨、１４の傘布を含んだ形状
【考案の詳細な説明】
【技術分野】
【０００１】本案は上記のごとくして、１、２、３、主柱摺動具を伸ばして、図１に示せる開傘時には傘として使用し、図３に示せる閉傘時には、下部５のキャスターによって容易に運ぶ事が出来更に１０の荷物袋釣具のみでは運搬時に荷物の重量が手元にのみ係るのを９の荷物入袋下部結束具で荷物の下部を結束し、固定する事により荷物の重量を下部移動負荷すると共に荷物入袋４の中心に主柱摺動具１、２、３、が主柱的な役割を果たす事で荷物をキャスターにより安定して容易に運ぶ事が出来、キャスター留具５’によりキャスターを固定し杖として、使用する事も出来、また携帯時には主柱摺動具１、２、３、を収納縮小し、荷物入袋を反転させてキャスター５共に縮小収納し、外部の汚れを防ぐ事が出来る新規なる考案である。【０００２】  実用新案の性質、作用及び効果の要領
本案は以上の如くであるから、平常は携帯出来る小ささで、伸長させれば重い荷物も容易に運べるキャスター付になり、然も雨天時には傘になし得、その軽便さの故に費用も極めて低廉であり、本考案品を携帯する事により外出時の急な重い買い物でも、急な雨でも対応出来る等、その益する所甚だ大である。
【図面の簡単な説明】
【０００３】
【図１】  全体開傘図
【図２】  荷物袋図
【図３】  荷物袋付閉傘キャスター図
【図４】  折たたみ携帯図
【図５】  主柱部拡大図
【図６】  キャスター部拡大図
【符号の説明】
【０００４】  １．２．３．    主柱摺道具
２’．３’．    伸縮用留具
４．            荷物入袋
４’．          ファスナー
５．            キャスター
５’．          キャスター留
６．            キャスタージョイント部
７．            握手
８．            荷物入袋上部結束具紐
９．            荷物入袋下部結束具
１０．            荷物入袋吊具
１１．            荷物入袋吊留穴具
１２．            内骨
１３．            外骨
１４．            傘布
１５．            携帯傘の折畳んだ状態で、１２の内骨、１３の外骨、１４の傘布を含んだ形状
【図１】
0003124740.tif 000003
【図２】
0003124740.tif 000004
【図３】
0003124740.tif 000005
【図４】
0003124740.tif 000006
【図５】
0003124740.tif 000007
【図６】
0003124740.tif 000008
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
折たたみ携帯傘の先端にキャスターを取付け、携帯傘の外側に荷物入袋を設けた形状を有し、折たたみ携帯傘と、キャスターと、荷物入袋とを組み合せた、折たたみ携帯傘、荷物袋付キャスターバーの構造。
(57)【要約】      （修正有）【課題】ユニットバスの壁に手摺取り付けを、可能にする。【解決手段】ユニットバスの壁を補強板３と添え板４で挟みつけ、ボーダー６を取り付けることにより、手摺が取り付けできることを特徴とする。【選択図】図１
0003124732.tif 000002
【実用新案登録請求の範囲】
【請求項１】
ユニットバスの壁に下地補強付ボーダーを取り付けることにより、手摺が取り付けられことを、特徴とする。
【考案の詳細な説明】
【技術分野】
【００１】本考案は、ユニットバスに取り付ける手摺に関する。
【背景技術】
【００２】従来、ユニットバスの壁に補強金物がないと、手摺を付けることができない。
【考案の開示】
【考案が解決しようとする課題】
【００３】本考案は、ユニットバスの壁に補強がない場合、壁に手摺を付けられるようにすることである。
【課題を解決するための手段】
【００４】上述の目的を達成する本考案のＵＢ専用手摺用ボーダーは、壁の裏に補強板を入れ、表にボーダーを取り付けることを特徴とする。
【考案の効果】
【００５】以上説明したように本考案によれば、ユニットバスの壁に手摺取り付けが可能になる。
【考案を実施するための最良の形態】
【００６】以下、本考案の実施の形態を図面に基づき説明する。【００７】図１は本考案の形態に係る外観斜視図。【００８】図１に示すように、ユニットバスの壁１に開口２をあけ、補強板３を裏に通す。表に添え板４をあて、ネジ５で固定する。開口２の両側に同様に取り付ける。【００９】ボーダー６をかぶせて、手摺７を補強板３に届くネジで固定する。
【実施例】
【０１０】ユニットバスの壁に手摺取り付けが可能になる。【０１１】以上、本考案は実施の形態及び実施例を説明したが、本考案の範囲はこれに限定されるものでない。例えば、補強板、添え板、開口、ボーダーの形態、取り付け方法など、状況に応じて適宜選択されるものである。
【産業上の利用可能性】
【０１２】本考案は手摺を製造、販売する産業分野で利用することができる。
【図面の簡単な説明】
【０１３】
【図１】外観斜視図。
【符号の説明】
【０１４】１          ユニットバス壁
２          開口
３          補強板
４          添え板
５          ネジ
６          ボーダー
７          手摺
【図１】
0003124732.tif 000003
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
ユニットバスの壁に開口を空け、その開口から左右に二箇所裏補強板を入れ、表には補強板に合わせて添え板をし、ネジ止めする。その上にボーダーを被せ、そのボーダーに手摺りが取り付けられたことを特徴とするＵＢ専用手摺用ボーダー。
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
ユニットバスの壁に開口を空け、その開口から左右に二箇所裏補強板を入れ、表には補強板に合わせて添え板をし、ネジ止めし、その上にボーダーを被せ、そのボーダーに手摺りが取り付けられたことを特徴とするＵＢ専用手摺用ボーダー。
(57)【要約】      （修正有）【課題】カード番号及び暗証番号が隠しカメラや他人の視覚などにより盗まれるカード被害を減少させる。【解決手段】（イ）ケース本体１にカード番号を遮るためのプラスチック板２を設けカード番号の確認が出来ないようにする。（ロ）ケース本体１に画面操作用タッチキャップ５を取り付けその両面を隠すためスポンジ３を取り付けるこれにより番号が他人に認識しずらくする。（ハ）カード受け取り時も番号保護するために機械からの引き抜き時にスライド装置４でカードをはさみこみ引き抜くことで番号を見られずにケース収納ができる。【選択図】図１
0003124733.tif 000002
【実用新案登録請求の範囲】
【請求項１】
ケース本体１にプラスチック板２を設けたカードケース
【請求項２】
ケース本体１にタッチ用キャップ５とそれを隠すためのスポンジ３を設けたカードケース
【請求項３】
ケース本体にスライド装置４を設けたカードケース
【考案の詳細な説明】
【技術分野】
【０００１】  本考案は、暗証番号を必要とするカードに使用するカードケース及びカードのセキュリティに関する。
【背景技術】
【０００２】  従来カード番号及び暗証番号の保護方法は無くカード機使用時に番号が他人に認識されてカード犯罪に利用されている。
【考案の開示】
【考案が解決しようとする課題】
【０００３】  これまでは、次のような問題があった。
カード番号及び暗証番号が隠しカメラや他人の視覚などにより盗まれカード被害者がでているこれにともなって本考案はこれらの問題を減少させるためになされたものである。
【課題を解決するための手段】
【０００４】（イ）ケース本体１にカード番号を遮るためのプラスチック板２を設けた事によりカード番号の確認が出来ないことで課題解決する。
（ロ）ケース本体１に画面操作用タッチキャップ５を取り付けその両面を隠すためスポンジ３を取り付けるこれにより番号が他人に認識しずらくなるこのことにより課題を解決する。
（ハ）カード受け取り時も番号保護するために機械からの引き抜き時にスライド装置４でカードをはさみこみ引き抜くことで番号を見られずにケース収納ができるこれらが課題を解決するための手段である。
【考案の効果】
【０００５】  カードの挿入引き抜き時プラスチック板２によってカード番号の確認が困難になる。
カード番号、暗証番号がぬすまれずらくなる。とくにもタッチパネル操作は指の操作のため番号の確認が容易であったたが本考案により押し位置をスポンジで隠すことで番号の認識を困難にする。
よって、本考案のケースによつて他人によるカード番号及び暗証番号の不正使用ができなくなる。保護ができる考案である。
【考案を実施するための最良の形態】
【０００６】  本考案の実施例について説明する。
（イ）プラスチック板２はケース本体１と同時成型されたあと折線６で可動できるようにする。
（ロ）画面操作用タッチキャップ５は５箇所のキャップ取り付け部１０に移動可能なためこの事により尚、番号の確認が難しくなる。
（ハ）スポンジ３は操作画面を操作できない程度の硬さのスポンジを使用する。
また、スポンジはタッチキャップ５が見えないよう色つきにする。
（ニ）スライド装置４はゴム部８を押すことでカードをはさむことができる。
（ホ）押え部７は本体１と同時成型ののち折りたたみ可能のための折線８を付ける。この押え部はカード収納時の押え部である。
（ヘ）全材質は軟プラスチックなど
【図面の簡単な説明】
【０００７】
【図１】  本考案の正面図である。
【図２】  本考案のＡ方向面図
【図３】  本考案のＢ方向面図
【図４】  本考案のＣ方向面図
【図５】  本考案のＤ方向面図
【符号の説明】
【０００８】  １    本体
２    プラスチック板
３    スポンジ
４    スライド装置
５    タッチ用キャップ
６    折線
７    押え部
８    すべり止めゴム
９    折線
１０  タッチ用キャップ取り付け部
Ｅ    詳細別記
Ｆ    方向指示
【図１】
0003124733.tif 000003
【図２】
0003124733.tif 000004
【図３】
0003124733.tif 000005
【図４】
0003124733.tif 000006
【図５】
0003124733.tif 000007
【手続補正書】
【提出日】平成18年1月19日(2006.1.19)
【手続補正１】
【補正対象書類名】実用新案登録請求の範囲
【補正対象項目名】全文
【補正方法】変更
【補正の内容】
【実用新案登録請求の範囲】
【請求項１】
ケース本体１にプラスチック板２を設け更にスライド装置４とタッチ用キャップ５とそれを隠すためのスポンジ３を設けたカードケース
(57)【要約】      （修正有）【課題】強風等で衣類がハンガーから落下しないよう、ストッパー付きクリップハンガーを提供する。【解決手段】衣類落下防止ハンガーは、ハンガーにクリップを融合させたることによってハンガーとしての機能を増し、デザイン的には従来のハンガーと差程変わらないので違和感なく使用できる。本考案は普通のハンガーとしても使用でき、衣類落下防止ハンガーは風の強さに応じて衣類を押さえる面とそれを受け止める部分に加工を施すことによって微風から強風まで対応できる。【選択図】図１
0003124737.tif 000002
【実用新案登録請求の範囲】
【請求項１】
従来のハンガーと比べて、構造も簡単で洗濯バサミを使用しなくても安心して衣類を干せることを特徴とするストッパー付きクリップハンガー。
【考案の詳細な説明】
【技術分野】
【０００１】強風等で衣類がハンガーから落下しないよう、ストッパー付きクリップハンガーを提案します。
【背景技術】
【０００２】すでに、さまざまなハンガーがありますが洗濯物を干す時もしくわ干し終わってから洗濯物が風にあおられ、洗濯物が床や地面に落ちている飛ばされていると言うこと事があります。そう言うとき忙しい主婦の味方になるのではと思い考えついたものが本考案である。
【考案の効果】
【０００３】普通であれば衣類の上から洗濯バサミで防止するのですが、洗濯物を干している途中で洗濯バサミが無い、足りないと言ったときに取りに行くことが面倒な時もあります。さらに、洗濯バサミを取りに行っている途中に洗濯物がすでに落ちていたと言うこともあります。その場合に洗濯をやり直すと言った二度手間が原因でイライラしたりと身体にも良くありません。さらに、Ｔシャツなどの薄い衣類が風にあおられて首回りの繊維伸びも防止出来ます。衣類の片付けで束ねてハンガーごと移動する場合に両手がふさがっているにも関わらづ衣類が落ちてイライラすると言う事態も防止出来る。そう言う時に衣類落下防止ハンガーがあれば効果があると考えます。
【考案を実施するための最良の形態】
【０００４】本考案は普通のハンガーとしても使用出来ます。衣類落下防止ハンガーは風の強さに応じて衣類を押さえる面とそれを受け止める部分に加工を施すことによって微風から強風まで対応できると考えています。
【実施例】
【０００５】本考案はハンガーに関するものである。従来のハンガーと外見上は差程変わりませんが、機能的には従来のハンガーと比べた場合、使用目的も広がるものである。図面を参照しながらこの考案の実施例を説明する。
図１は、第一実施例を示す斜視図である。（１）はハンガー本体（２）はフック（３）はクリップ（４）はストッパー部分（５）はストッパー受け部分である。
図２は、第一実施例に衣類を掛けた事を示す斜視図である。衣類を（１）と（３）の間に通す。（４）と（５）の部分が衣類を外れにくくするし固定すると言う簡単なものである。（４）ストッパー部分と（５）ストッパー受けが衣類に接する面を加工することによって風の強い地域でも対応するものと考えています。
【産業上の利用可能性】
【０００６】本考案は、多機能ハンガーとして忙しい主婦の方々が家事をスムーズに行えることに効果を発揮出来るものと考えています。
【図面の簡単な説明】
【０００７】
【図１】本考案の第一実施例を示す斜視図である。
【図２】第一実施例に衣類を掛けた事を示す面図である。
【符号の説明】
【０００８】（１）ハンガー本体
（２）フック
（３）クリップ
（４）ストッパー部分
（５）ストッパー受け部分
【図１】
0003124737.tif 000003
【図２】
0003124737.tif 000004
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
フック（２）の基部からハンガー本体（１）の上面に沿って左右に細長いクリップ（３）を設け該クリップ（３）の先端部下面にストッパー部分（４）を形成するとともに該ストッパー部分（４）に対面するハンガー本体（１）の上面部にストッパー受け部分（５）を設けたストッパーハンガー。
(57)【要約】【課題】  この考案は乳児の後頭部下に敷く枕カバーのようなものに、襟元を覆う布を延長し、洋服や枕が吐乳により汚れるのを防ぐものを提供する。【解決手段】  この考案は、乳児の頚から頭にかけて敷き、枕をカバーする部分（１）から、左右に伸びた布で襟元を覆うようにし（２）、襟元挿入部分の布（３）を洋服に入れ固定することにより、乳児が横になっているときに、乳を吐いたり、口の端から流したりして、洋服や枕を汚すのを防ぐのに役立つ。【選択図】図１
0003124736.tif 000002
【実用新案登録請求の範囲】
【請求項１】
乳児の頚から頭の下に敷き、枕を覆う枕カバーのようなもの（１）
【請求項２】
枕カバーから伸びて、乳児の頚廻りの襟元をおおうもの（２）
【考案の詳細な説明】
【技術分野】
【０００１】  この考案は、乳児の後頭部と襟元を覆った、枕カバーに関するものである。
【背景技術】
【０００２】  従来、乳児用の枕カバーというものは一般的ではなく、タオル等で代用されてきた。また、タオル等では襟元までカバーされていなかった。
【考案の開示】
【考案が解決しようとする課題】
【０００３】  乳児を授乳後寝かせると、乳を吐き出したり、口の端から垂らしたりして、洋服の襟元や、枕を汚してしまうことがあった。したがって、後頭部から襟元を覆う枕カバーのようなもので洋服や枕を守り、前述の欠点を解決しようとするものである。
【課題を解決するための手段】
【０００４】  この考案は、乳児の頚から頭の下に敷き、枕を覆う枕カバーのようなもの（１）に枕カバーから伸びて、乳児の頚廻りの襟元をおおうもの（２）を付属することにより吐乳による衣服や枕の汚れを防ごうとするものである。
【考案の効果】
【０００５】  上述のように、この考案は従来一般的ではなかった、乳児の後頭部下に枕カバーを敷き、そこから襟元を覆う布を付属することにより、乳を吐き出したり、口の端から垂らしたりして洋服の襟元や、枕を汚してしまうのを防ぐものである。
【考案を実施するための最良の形態】
【０００６】  乳児の後頭部下、枕の上に枕カバー部分（１）をはさみ、その左右から伸びている部分（２）で乳児の頚廻りを覆い、衣服の中に押し込む布（３）で固定する。
【図面の簡単な説明】
【０００７】
【図１】この考案の吐乳用枕カバーを示す図である。
【符号の説明】
【０００８】１  枕カバー部
２  頚廻り部
３  衣服挿入部
【図１】
0003124736.tif 000003
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
縦は乳児の頭頂から肩まで、横は乳児の肩幅の布（１）の両端に、長さは乳児の首周りの約半分、幅は乳児の肩を覆うほどの布をつけたもの（２）。
【手続補正２】
【補正対象書類名】明細書
【補正対象項目名】０００３
【補正方法】変更
【補正の内容】
【０００３】  乳児を授乳後寝かせると、乳を吐き出したり、口の端から垂らしたりして、洋服の襟元や、枕を汚してしまうことがあった。したがって、縦は乳児の頭頂から肩、横は肩幅の布（１）を乳児の頭の下に敷き、その両端から伸びる布（２）を首周りに巻きつけ、襟元をカバーすることにより、洋服や枕を吐乳から守り、前述の欠点を解決しようとするものである。
【手続補正３】
【補正対象書類名】明細書
【補正対象項目名】０００４
【補正方法】変更
【補正の内容】
【０００４】  この考案は、乳児の頭の下と枕の間に敷く、縦は乳児の頭頂から肩まで、横は肩幅の布（１）の両端に、長さは乳児の首周りの約半分、幅は肩を覆うほどの布（２）をつけ、これを乳児の両肩に乗せ、首周りに巻きつけ、襟元をカバーすることにより、吐乳による枕や衣服の汚れを防ごうとするものである。
【手続補正４】
【補正対象書類名】明細書
【補正対象項目名】０００６
【補正方法】変更
【補正の内容】
【０００６】  乳児の頭部の下に、縦は乳児の頭頂から肩まで、横は肩幅の布（１）を敷き、その両端から伸びる、長さは乳児の首周りの約半分、幅は肩を覆うほどの布（２）を、乳児の両肩に置き、首周りに巻きつけ、衣服の中に押し込む布（３）で固定する。